(57)【要約】【課題】ワゴン架台と傾斜棚部との間に生じる隙間をカバーして隠すことができる商品陳列用傾斜ワゴンを提供する。【解決手段】上面を開放した箱状の傾斜棚部２がワゴン架台１上に前部の枢軸を介して、傾斜棚部２の後部を上方に上げるように傾斜可能に枢支される。ワゴン架台１と傾斜棚部２の両側部に生じる隙間を覆うための略扇状のカバー部材５が、傾斜棚部２の下部両側に下方を向けて取り付けられる。カバー部材５は傾斜棚部２の上傾動に伴いワゴン架台１から上方に進出して隙間をカバーし、傾斜棚部２の下傾動に伴いカバー部材５はワゴン架台１の内側に進入する。【選択図】図１
2014217436.tif 000002
【特許請求の範囲】
【請求項１】
上面を開放した箱状の傾斜棚部がワゴン架台上に、前部の枢軸を介して該傾斜棚部の後部を上方に上げるように、傾斜可能に枢支された商品陳列用傾斜ワゴンにおいて、
該ワゴン架台と該傾斜棚部の両側部に生じる隙間を覆うための略扇状のカバー部材が、該傾斜棚部の下部両側に下方を向けて取り付けられ、該カバー部材は該傾斜棚部の上傾動に伴い該ワゴン架台から上方に進出して隙間をカバーし、該傾斜棚部の下傾動に伴い該カバー部材は該ワゴン架台の内側に進入することを特徴とする商品陳列用傾斜ワゴン。
【請求項２】
前記ワゴン架台の後部両側にガイド溝を有するガイド部材が、前記カバー部材の後縁部をガイドするように取り付けられたことを特徴とする請求項１記載の商品陳列用傾斜ワゴン。
【請求項３】
前記カバー部材はカラー合板から形成されたカバー本体を有し、該カバー本体の上縁部に、取付ねじを有する取付部が取り付けられたことを特徴とする請求項１記載の商品陳列用傾斜ワゴン。
【請求項４】
前記ガイド部材は、前記ワゴン架台の側面材の内側で、該ワゴン架台の後部の後支柱に取り付けられ、該ガイド部材を介して該ワゴン架台の側面材の内側に前記カバー板を進入させることを特徴とする請求項２記載の商品陳列用傾斜ワゴン。
【請求項５】
前記ワゴン架台の両側の支柱と側面材との間に板状の空間が形成され、前記ガイド部材は前記カバー板を該空間内に進入させるようにガイドすることを特徴とする請求項４記載の商品陳列用傾斜ワゴン。
【発明の詳細な説明】
【技術分野】
【０００１】
本発明は、商品陳列用の傾斜ワゴンに関し、特に傾斜可能に枢支される傾斜棚部が複数の傾斜角度で傾斜する傾斜ワゴンにおいて、ワゴン架台と傾斜棚部との間に生じた隙間をカバーするカバー板を設けた商品陳列用傾斜ワゴンに関する。
【背景技術】
【０００２】
スーパーマーケットなどにおいて、青果物などを陳列するために、傾斜棚部が傾斜可能に枢支され、複数の傾斜角度でその傾斜角度を変えることが可能な傾斜ワゴンが使用されている。
【０００３】
本願発明者は、傾斜ワゴンの開発にともない、下記特許文献１において、傾斜棚部の傾斜角度を容易に且つ円滑に変えるようにした商品陳列用傾斜ワゴンを提案している。
【先行技術文献】
【特許文献】
【０００４】
【特許文献１】特開平１１−１２８０３７号公報
【発明の概要】
【発明が解決しようとする課題】
【０００５】
しかし、従来のこの種の傾斜ワゴンは、傾斜棚部がその底部一端をワゴン架台上に傾斜可能に枢支され、複数の傾斜角度で傾斜棚部を傾斜させる構造となっているが、傾斜棚部の一方の端部を、その枢支部に対し上下動させるように、傾斜角度を変えるため、必然的にワゴン架台と傾斜棚部との間に隙間が生じる。
【０００６】
このため、傾斜棚部の傾斜角度を大きく傾斜させた場合には、ワゴン架台と傾斜棚部との間に生じる隙間が特に大きく生じやすい。このため、スーパーマーケットなどで青果物などの商品を陳列するために使用する傾斜ワゴンでは、ワゴン架台と傾斜棚部との間に生じる隙間は、異物を隙間から挿入されるような行為を防止するため、或いはワゴンの外観や見栄えを良くするために、カバーして隠すことが望まれていた。
【０００７】
本発明は、上述の点に鑑みてなされたもので、ワゴン架台と傾斜棚部との間に生じる隙間をカバーして隠すことができる商品陳列用傾斜ワゴンを提供することを目的とする。
【課題を解決するための手段】
【０００８】
本発明に係る商品陳列用傾斜ワゴンは、上面を開放した箱状の傾斜棚部がワゴン架台上に前部の枢軸を介して該傾斜棚部の後部を上方に上げるように傾斜可能に枢支された商品陳列用傾斜ワゴンにおいて、該ワゴン架台と該傾斜棚部の両側部に生じる隙間を覆うための略扇状のカバー部材が、該傾斜棚部の下部両側に下方を向けて取り付けられ、該カバー部材は該傾斜棚部の上傾動に伴いワゴン架台から上方に進出して隙間をカバーし、傾斜棚部の下傾動に伴い該カバー部材はワゴン架台の内側に進入することを特徴とする。
【０００９】
この発明によれば、ワゴン架台と傾斜棚部との間の両側に生じる隙間が、カバー部材により覆われ、傾斜棚部の上下の傾動に伴い、ワゴン架台から上方に進出し或いは下側のワゴン架台内に進入するので、ワゴン架台と傾斜棚部の間の両側に生じる隙間はカバーされ、これにより、異物の挿入などは防止され、傾斜ワゴンの外観や見栄えを良くすることができる。また、カバー部材は傾斜棚部の傾斜とともに上下動し、傾斜棚部の傾斜角度に応じて変化する隙間を完全に覆い隠すことができる。
【００１０】
ここで、上記ワゴン架台の両側後部には、ガイド溝を有するガイド部材を、上記カバー部材の後縁部をガイドするように取り付けることが好ましい。これによれば、傾斜棚部がきつい傾斜角度から緩い傾斜角度まで傾動する際、ガイド部材によりカバー部材の後縁部をガイドして、カバー部材を安定して傾動させ、カバー部材の静止状態を確実に保持することができる。
【００１１】
また、上記カバー部材はカラー合板から形成されたカバー本体を有し、該カバー本体の上縁部に、取付ねじを有する取付部を取り付けることができる。これよれば、ワゴン架台の側面の色や傾斜棚部の側板の色とカラー合板の色をあわせ、違和感のない状態で隙間をカバーすることができる。
【００１２】
ここで、上記ガイド部材は、上記ワゴン架台の側面材の内側で、該ワゴン架台の後部の後支柱に取り付けられ、該ガイド部材を介して該ワゴン架台の側面材の内側に前記カバー板を進入させるように構成することができる。また、上記ワゴン架台の両側の支柱と側面材との間に板状の空間を形成し、上記ガイド部材は上記カバー板を該空間内に進入させるようにガイドする構成とすることができる。これによれば、傾斜棚部の傾斜を下げたとき、カバー板をワゴン架台の側面材の内側に良好に進入させて隠すことができる。
【００１３】
ここで、上記カバー部材は、所定形状に成形された合成樹脂板、或いは所定形状に形成された金属線の内側に布シートを張設した部材から形成することもできる。
【発明の効果】
【００１４】
この発明の商品陳列用傾斜ワゴンによれば、ワゴン架台と傾斜棚部との間に生じる隙間をカバーして隠すことができ、異物の挿入を防止し、傾斜ワゴンの外観や見栄えの向上を図ることができる。
【図面の簡単な説明】
【００１５】
【図１】本発明の一実施形態を示す商品陳列用傾斜ワゴンの斜視図である。
【図２】同傾斜ワゴンの背面側から見た斜視図である。
【図３】同傾斜ワゴンの傾斜棚部を二段下げた状態の斜視図である。
【図４】同傾斜ワゴンの傾斜棚部をさらに二段下げた状態の斜視図である。
【図５】両側のカバー部材を外した状態の斜視図である。
【図６】カバー部材の斜視図である。
【図７】ワゴン架台及び傾斜棚部の内側から見た拡大斜視図である。
【図８】ワゴン架台及び傾斜棚部の内側から見た、二段下げた状態の拡大斜視図である。
【図９】さらに二段下げた状態の、ワゴン架台及び傾斜棚部の内側から見た拡大斜視図である。
【図１０】傾斜ワゴンの各部材を分解した状態の分解斜視図である。
【図１１】傾斜ワゴンの各部材を分解した状態の断面図である。
【図１２】ワゴン架台から傾斜棚部を外した状態を下側から見た斜視図である。
【図１３】ガイド部材とカバー部材を示す部分拡大斜視図である。
【発明を実施するための形態】
【００１６】
以下、本発明の一実施形態を図面に基づいて説明する。この商品陳列用傾斜ワゴンは、青果物などを陳列するための傾斜ワゴンであり、図１，２の斜視図に示すように、上面を開放した箱状の傾斜棚部２がワゴン架台１上に前部の枢軸を介して、傾斜棚部２の後部を、水平状態から上方に上げるように傾斜可能に枢支される。傾斜棚部２の傾斜角度は後述の如く、支え部材３と後枠との係合に応じて、複数の傾斜角度（例えば１５度、３０度）とすることができる。
【００１７】
さらに、この商品陳列用傾斜ワゴンは、ワゴン架台１と傾斜棚部２の両側部に生じる隙間を覆うための略扇状のカバー部材５が、傾斜棚部２の下部両側に下方を向けて取り付けられる。カバー部材５は傾斜棚部２の上傾動に伴いワゴン架台１から上方に進出して隙間をカバーし、傾斜棚部２の下傾動に伴いカバー部材５はワゴン架台１の内側に進入するように構成される。
【００１８】
ワゴン架台１は、前部に２本の前支柱１１を立設し、後部に２本の後支柱１２を立設し、それらの支柱間に前枠１３、後枠１４、側枠１５を水平に連結して、箱状のフレームを有して形成される。１対の前支柱１１の間には、前枠１３が水平に固定され、１対の後支柱１２の間に２本の後枠１４が水平に固定される。ワゴン架台１の前面にはカラー合板（化粧合板）などからなる前面板１７が内部を覆うように取り付けられ、その両側側面には、同様のカラー合板などからなる側面材１６が、図５、１０のように、架台内部を覆い且つ支柱と側面材１６との間に空間Ｓを作るように、ブラケット１６ａを介して取り付けられる。
【００１９】
２本の前支柱１１と２本の後支柱１２の下端にはキャスター１９が取り付けられ、移動可能となっている。図５、１０に示す如く、上記側面材１６と前支柱１１及び後支柱１２との間に、カバー部材５を進入させるための空間Ｓが架台の内側に形成され、傾斜棚部２の下傾動に伴いカバー部材５がその側面材１６と前支柱１１及び後支柱１２との空間つまりワゴン架台１の内側に進入する構造である。図９に示すように、側面材１６は略Ｓ形のブラケット１６ａを介して側枠１５から外側にシフトした位置に取り付けられ、側面材１６と前支柱１１との間に空間Ｓを形成するように組み付けられる。
【００２０】
さらに、ワゴン架台１の両側後部には、図７，８，９、１３などに示す如く、カバー部材５の後縁部を両側から挟持するようにガイドするガイド溝４ａを有するガイド部材４が取り付けられる。このガイド部材４は、金属板を略Ｕ字状に曲折して内部にガイド溝４ａを形成し、ガイド溝４ａ内にカバー部材５を挿入可能とする構造である。これにより、傾斜棚部２がその前部の枢軸１８を支点に、上傾動または下傾動したとき、カバー部材５の後縁部がガイド部材４内で摺動してガイド保持され、カバー部材５を安定して傾動させ、カバー部材５の静止状態を確実に保持するようになっている。
【００２１】
傾斜棚部２を傾動可能に装着するワゴン架台１の前上部の両側には、図１２に示す如く、枢軸１８が水平横方向に取り付けられ、この枢軸１８に傾斜棚部２の前底部に固定した管状の軸受２４を嵌入することにより、傾斜棚部２がワゴン架台１上でその前部を支点に、その後部を上下して傾動可能に取り付けられる。
【００２２】
傾斜棚部２は、図１０のように、底の浅い長方形の箱型に形成され、底板である棚板２１の前部に前板２２が設けられ、棚板２１の両側側面には側板２３が設けられ、背面は開口している。図１２に示すように、棚板２１の下前部両側に、管状の軸受２４が左右水平方向に取り付けられ、そこに、ワゴン架台１上の枢軸１８を差し込むことにより、傾斜棚部２は図１〜４に示すように、枢軸１８を軸にその前部を定位置に保持した状態で、その後部を上下させるように傾動可能である。
【００２３】
傾斜棚部２の傾斜角度は、複数の傾斜角度（例えば水平軸に対し３０度、１５度、０度）で止めることができるように、１対の支え部材３がその上端部を傾斜棚部２の棚板２１の下側のフレームに取付ねじ３ａにより連結され、支え部材３の下端部を揺動可能とする。支え部材３は重量のある傾斜棚部２の荷重を支持して複数の傾斜角度に保持するために、支え部材３には複数の係合溝３ｂが設けられ、傾斜棚部２の傾斜角度に応じて、図２、３、４のように、ワゴン架台１の後支柱１２間に水平に連結された後枠１４に、任意の位置の係合溝３ｂを係合させ、１対の支え部材３と前部の枢軸１８で傾斜棚部２の荷重を支持するようになっている。１対の支え部材３と支え部材３との間は、水平連結軸３ｃにより連結され、１対の支え部材３の強度を高めている。
【００２４】
傾斜棚部２の両側下部には、ワゴン架台１の両側部と傾斜棚部２の両側底部との間を覆ってカバーするために、１対のカバー部材５が下方に突き出すように取り付けられる。カバー部材５は、図６に示すように、例えばカラー合板（化粧合板）を略扇形に裁断して、板状のカバー本体５１が形成され、カバー本体５１の上縁部の２箇所に、取付部５２が取り付けられる。
【００２５】
取付部５２にはねじ穴が形成され、そのねじ穴に取付ねじ５３をねじ込み、さらに図１２のように、取付ねじ５３の先端を傾斜棚部２のカバー取付部２５のねじ穴にねじ込み、簡単に固定できるようになっている。カバー部材５のカバー本体５１は、ワゴン架台１の側面材１６或いは傾斜棚部２の側板２３のカラー合板の色彩や絵柄と合せることにより、一体性や連続性を持たせてワゴン架台１の両側部と傾斜棚部２の両側底部との間をカバーすることができる。
【００２６】
上記のように、１対のカバー部材５のカバー本体５１は、傾斜棚部２が図４のように傾斜角度０度の水平状態のとき、ワゴン架台１の側面材１６と支柱との間の空間Ｓつまり側面材１６内側に完全に進入し、傾斜棚部２が図２，３のように、例えば傾斜角度１５度或いは３０度のとき、その傾斜角度に応じて空間Ｓに進入するようになっている。また、このような傾動時、両側のカバー部材５のカバー本体５１は、その後縁部が図１３に示すように、ワゴン架台１の両側後部に設けたガイド部材４のガイド溝４ａ内に進入し、ガイド部材４内で保持される構造である。
【００２７】
次に、上記構成の商品陳列用傾斜ワゴンの使用態様を説明する。図４に示すように、ワゴン架台１上の傾斜棚部２を傾斜角度０度とし水平状態とするとき、傾斜棚部２を支持する支え部材３の最上位置の係合溝３ｂが後枠１４と係合し、傾斜棚部２はワゴン架台１上に水平に載置される。このような状態では、図４の如く、ワゴン架台１と傾斜棚部２の両側部には隙間は生じない。このとき、傾斜棚部２の両側下部に取り付けられたカバー部材５は、図９の如く、ワゴン架台１の側面材１６の内側の空間Ｓ（図５）内に進入した状態であり、隠れている。
【００２８】
この状態から、傾斜棚部２の後部を上に持ち上げるように傾斜棚部２を傾動させ、図３のように水平に対し１５度の傾斜角度とする。このとき、傾斜棚部２を支持する支え部材３の上部の係合溝３ｂが後枠１４と係合し、傾斜棚部２は１対の支え部材３により、図３の如く、約１５度の傾斜角度に支持される。
【００２９】
さらにこの傾斜棚部２の上方への傾動時、傾斜棚部２の両側下部に取り付けられたカバー部材５が傾斜棚部２とともに上昇するため、ワゴン架台１と傾斜棚部２との間の両側に生じる隙間は、カバー部材５によりカバーされて覆われる。これにより、隙間への異物の挿入などが防止され、傾斜ワゴンの外観や見栄えが悪化することはない。またこのとき、カバー部材５の後縁部は、図３，１３の如く、ワゴン架台１の両側後部に設けた、ガイド溝４ａを有するガイド部材４内に進入し、ガイドされるので、カバー部材５は安定して傾動し、カバー部材５の静止状態も、確実に保持することができる。
【００３０】
さらにこの状態から、傾斜棚部２の後部を上に持ち上げるように傾斜棚部２を傾動させると、図２のように、水平に対し３０度の傾斜角度となる。このとき、傾斜棚部２を支持する支え部材３の下部の係合溝３ｂが後枠１４と係合し、傾斜棚部２は１対の支え部材３により、図２の如く、約３０度の傾斜角度に支持される。
【００３１】
この傾斜棚部２の上方への傾動時、上記と同様、傾斜棚部２の両側下部に取り付けられたカバー部材５が傾斜棚部２とともに上昇するため、ワゴン架台１と傾斜棚部２との間の両側に生じる隙間は、カバー部材５によりカバーされて覆われる。これにより、隙間への異物の挿入などが防止され、傾斜ワゴンの外観や見栄えが悪化することはない。またこのとき、カバー部材５の後縁部は、図２，１３の如く、ワゴン架台１の両側後部に設けた、ガイド溝４ａを有するガイド部材４内に進入し、ガイドされるので、上記と同様、カバー部材５は安定して傾動し、カバー部材５の静止状態も、確実に保持することができる。
【００３２】
一方、図２，３のように傾斜棚部２を傾斜させた状態から、その傾斜角度を下げる場合、傾斜棚部２の後部を少し持ち上げ、支え部材３の係合溝３ｂと後枠１４との係合を外し、その状態で、傾斜棚部２の後部をその自重により下げれば、図４のように、水平状態になるまで、傾斜棚部２の傾斜角度を小さくすることができる。
【００３３】
この際も、カバー部材５は、図８、９の如く、ワゴン架台１の側面材１６の内側の空間Ｓ（図５）内に進入して傾動するので、傾斜棚部２の傾斜角度を小さくすることができ、またその後縁部は、図２，１３の如く、ワゴン架台１の両側後部に設けた、ガイド溝４ａを有するガイド部材４内で、ガイドされるので、上記と同様、カバー部材５は安定して傾動し、カバー部材５の静止状態も、確実に保持されることとなる。
【００３４】
このように、ワゴン架台１と傾斜棚部２との間の両側に生じる隙間が、カバー部材５により覆われ、傾斜棚部２の上下の傾動に伴い、ワゴン架台１から上方に進出し或いは下側のワゴン架台１内に進入するので、ワゴン架台１と傾斜棚部２の間の両側に生じる隙間を良好にカバーし覆うことができる。これにより、ワゴン架台１と傾斜棚部２の間の両側に生じる隙間に異物などを挿入されることを防止することができ、傾斜ワゴンの外観や見栄えを良くすることができる。また、１対のカバー部材５のみで、傾斜棚部２の傾斜とともにカバー部材５を上下動させ、傾斜棚部２の傾斜角度に応じて変化する隙間を完全に覆い隠すことができる。
【００３５】
なお、上記実施形態の図面では、傾斜棚部２の傾斜角度を０度、１５度、３０度として説明したが、傾斜棚部の傾斜角度は、支え部材の係合溝の位置により、任意に設定することができる。
【符号の説明】
【００３６】
１      ワゴン架台
２      傾斜棚部
３      支え部材
３ｂ    係合溝
３ｃ    水平連結軸
４      ガイド部材
４ａ    ガイド溝
５      カバー部材
１１    前支柱
１２    後支柱
１３    前枠
１４    後枠
１５    側枠
１６    側面材
１６ａ  ブラケット
１７    前面板
１８    枢軸
１９    キャスター
２１    棚板
２２    前板
２３    側板
２４    軸受
２５    カバー取付部
５１    カバー本体
５２    取付部
【図１】
2014217436.tif 000003
【図２】
2014217436.tif 000004
【図３】
2014217436.tif 000005
【図４】
2014217436.tif 000006
【図５】
2014217436.tif 000007
【図６】
2014217436.tif 000008
【図７】
2014217436.tif 000009
【図８】
2014217436.tif 000010
【図９】
2014217436.tif 000011
【図１０】
2014217436.tif 000012
【図１１】
2014217436.tif 000013
【図１２】
2014217436.tif 000014
【図１３】
2014217436.tif 000015